(57)【要約】【課題】電子錠の施解錠動作についてセキュリティ性を向上する。【解決手段】電子錠式キャビネット１ａを、キャビネット本体３の内部に、ノートＰＣ５の収納空間として区画形成する引き出し７を上下に８段並べて構成する。各引き出し７には、ノートＰＣ５を１台横置きで開放された上面から収納可能な底浅のトレイ１１と、収納位置および出し入れ位置の２つの位置間でトレイ１１をキャビネット本体３の前面側にスライド自在とする開閉手段１３と、収納位置にあるトレイ１１のスライドを許可または阻止するように、駆動モータによる遠隔操作によって、引き出し７の開閉手段１３を施解錠するように構成された公知の電子錠１５とを設ける。制御装置２１の前面に、ＩＣカード１６のカードリーダ１７と、パスワード用テンキー１８を設ける。ＩＣカード１６には、ＩＤと引き出し番号と必要に応じて有効期限を事前に登録する。【選択図】図１
2009133063.tif 000002
【特許請求の範囲】
【請求項１】
収納対象物品の収納空間をキャビネット本体内部に区画形成し、収納空間の開閉手段に設けた電子錠を制御手段によって施解錠制御する電子錠式キャビネットであって、
制御手段は、
ＩＤ、収納空間番号および有効期限からなるカード情報をＩＣカードから読み取る読取り手段と、パスワードの入力手段とを備え、
読み取ったカード情報および入力したパスワードが予め登録された物品識別情報に含まれる場合、収納対象物品に対応する電子錠を施解錠制御する、
ことを特徴とする電子錠式キャビネット。
【請求項２】
複数のＩＤのうち、少なくとも１つのＩＤは、
複数の収納空間に使用される、
請求項１に記載の電子錠式キャビネット。
【発明の詳細な説明】
【技術分野】
【０００１】
本発明は、収納対象物品の収納空間をキャビネット本体内部に区画形成し、収納空間の開閉手段に設けた電子錠を施解錠制御してなる電子錠式キャビネットに関する。
【背景技術】
【０００２】
従来の電気錠式キャビネットは、パスワードやＩＣカードのＩＤによって電気錠の制御許可を行っている。例えば特許文献１で開示された技術は、引き出しの電気錠に特定のＩＤやパスワードが関連付けされており、そのＩＤとパスワードが入力されると対応する引き出しが解錠され使用可能となる。
【０００３】
【特許文献１】特開２００４−１０７８８３号公報
【発明の開示】
【発明が解決しようとする課題】
【０００４】
しかし、特許文献１の技術では、ある特定のＩＤの使用を中止したい場合、このＩＤの登録を抹消する必要がある。この抹消操作を忘れたり、抹消するタイミングが遅れたりすると、その期間にＩＤを悪用され、キャビネットが不正に使用される恐れがある点で問題があった。
【０００５】
そこで、本発明では上記課題を鑑み、電子錠の施解錠動作についてセキュリティ性を向上できる電子錠式キャビネットの提供を課題とする。
【課題を解決するための手段】
【０００６】
上記課題を解決するため、請求項１の発明に係る電子錠式キャビネットは、収納対象物品の収納空間をキャビネット本体内部に区画形成し、収納空間の開閉手段に設けた電子錠を制御手段によって施解錠制御する電子錠式キャビネットであって、制御手段が、ＩＤ、収納空間番号および有効期限からなるカード情報をＩＣカードから読み取る読取り手段と、パスワードの入力手段とを備え、読み取ったカード情報および入力したパスワードが予め登録された物品識別情報に含まれる場合、収納対象物品に対応する電子錠を施解錠制御するように構成される。
【０００７】
請求項２の発明に係る電子錠式キャビネットは、複数のＩＤのうち、少なくとも１つのＩＤが、複数の収納空間に使用されるように構成される。
【発明の効果】
【０００８】
請求項１、２の発明によれば、ＩＤ、パスワードの他に新たに有効期限という時間のパラメータを電子錠の施解錠動作を認証する条件として加えたので、電子錠の施解錠動作についてセキュリティ性を向上できる。
【発明を実施するための最良の形態】
【０００９】
以下、本発明を具体化した実施の形態を、図面に基づいて詳細に説明する。図１は本発明に係る電子錠式キャビネットを示し、（ａ）は正面図、（ｂ）はＡ−Ａ断面図、（ｃ）はＢ−Ｂ断面図である。図１において、電子錠式キャビネット１ａは、縦長立方体形状のキャビネット本体３の内部に、収納対象物品であるノート型パソコン（ノートＰＣ）５の収納空間として区画形成する引き出し７を、上下に８段並べて構成されている。
【００１０】
各引き出し７は、ノートＰＣ５を１台横置きで開放された上面から収納可能な底浅のトレイ１１と、トレイ１１上面をキャビネット本体３の内部に収納して閉じる収納位置、およびトレイ１１上面をキャビネット本体３の外部に対して開放させてノートＰＣ５を出し入れ可能とする出し入れ位置、これら２つの位置間でトレイ１１をキャビネット本体３の前面側にスライド自在とする開閉手段１３とを備えて構成されている。
【００１１】
さらに引き出し７には、収納位置にあるトレイ１１のスライドを許可または阻止するように、駆動モータまたはソレノイド等（図示略）による遠隔操作、または個別の鍵（図示略）による手動操作によって、引き出し７の開閉手段１３を施解錠可能に構成された公知の電子錠１５が設けられている。
【００１２】
制御装置２１は、ＩＣカード１６から読み出されたＩＤ等、および、テンキー１８で手入力したパスワードをそれぞれデータとして通信可能に構成されるとともに、駆動モータを遠隔操作することによって電子錠１５を施解錠制御可能に構成されている。また制御装置２１は、キャビネット管理者による所定操作によって、何時でも任意の引き出し７の電子錠１５を施解錠動作させるように制御可能である。制御装置２１としては、例えば、キャビネット本体３の上面に設けられた管理用ＰＣが利用される。
【００１３】
また制御装置２１の前面には、ＩＣカード１６の読取り手段であるカードリーダ１７と、パスワードの入力手段であるテンキー１８が設けられている。図２のカードリーダ１７は、ＩＣカード１６を接近させる（斜線部）ことによって、ＩＣカード１６に記憶されたＩＤ等のデータを非接触で読み取って、制御装置（制御手段）２１へ送出するように構成されている。また同図のテンキー１８は、数字ボタンの押下順に数字データとして制御装置２１へ送出するように構成されている。
【００１４】
上記構成のキャビネット１ａにおける電子錠１５の施解錠動作（Ｓ１）を説明する。
キャビネット使用者には、キャビネット管理者が選択した一の引き出し７が貸し出されるとともに、電子錠１５を施解錠するためのＩＣカード１６が貸与される。
図３に示すように、収納空間番号である引き出し番号Ｎｏ．１〜Ｎｏ．８の引き出し７，７・・に対応して貸与される８枚の各ＩＣカード１６，１６・・には、カードライタ（図示略）によって、ＩＤと引き出し番号と必要に応じて有効期限が事前に登録される。特にＩＤは、一つに対して複数の引き出し番号が設定されている。
【００１５】
キャビネット使用者は、引き出し７の電子錠を解錠するため、ＩＣカード１６をカードリーダ１７に近接させて、ＩＤ等を読み取らせる。例えば、キャビネット使用者に番号Ｎｏ．１の引き出し７が貸し出された場合、カードリーダ１７によってＩＤ「１０００１」と引き出し番号「１」と有効期限「２００６／１０／１〜２００６／１０／１５」とが読み出され制御装置２１へ送出される。
【００１６】
図４に示すように、制御装置２１は、先ず、有効期限が設定されているか否かを判断する（Ｓ１−１）。有効期限が設定されている場合、現在の日時が有効期限内であるか否かを判断する（Ｓ１−２）。有効期限が設定されていない場合は、Ｓ１−２の判断は行わない。有効期限内である場合、ＩＤとパスワードが正しいものかどうか判断する（Ｓ１−３）。ここで、テンキー１８によってパスワードを入力する。ともに正しいものである場合、現在操作中のキャビネット利用者には正規の者であるとの認証が与えられる（Ｓ１−４）。認証が与えられた場合、制御装置２１は、番号Ｎｏ．１の引き出し７の駆動モータを遠隔操作し、施錠状態の電子錠１５が解錠動作するように制御する（Ｓ１−５）。
ここで、制御装置２１には、予め、このキャビネットで使用される全ＩＣカードのＩＤと、それに対応するパスワードが全て登録されている。
【００１７】
また、制御装置２１は、有効期限内でない場合（Ｓ１−２）、パスワードが所定時間内に入力されなかった場合（Ｓ１−３）、パスワードが登録されたものと異なる場合（Ｓ１−４）には、解錠動作は行わない。また電子錠が解錠状態である場合も同様にＳ１−１〜Ｓ１−５のステップによって施錠動作を制御する。
【００１８】
ここで、ＩＣカード１６に登録されているＩＤは、有効期限が過ぎると自動的に抹消される。また一つのＩＤに対して、複数の有効期限が設定されている場合は、全ての有効期限が切れた後に抹消される。
【００１９】
上記構成のキャビネット１ａによれば、ＩＤ、パスワードの他に新たに有効期限という時間のパラメータを電子錠の解錠動作を認証する条件として加えたので、ある特定のＩＤの使用を中止するためＩＤの登録を抹消する際に、抹消操作を忘れたり、抹消するタイミングが遅れたりした場合であっても、その期間にＩＤを悪用され、キャビネットが不正に使用される可能性を低減でき、電子錠の解錠動作についてセキュリティ性を向上できる。
【００２０】
尚、本発明は上記実施形態に限定されるものではなく、下記のように、本発明の趣旨を逸脱しない範囲で各部の形状並びに構成を適宜に変更して実施することも可能である。
（１）ＩＣカードは、有効期限が切れた場合、ＩＤを残してパスワードだけを抹消しても良い。
（２）ＩＣカードには、ＩＤだけを登録して、それに対応するパスワード、引き出し番号、有効期限は、制御装置２１にＩＣカードのＩＤと関連付けて登録しても良い。このようにした場合は、ＩＣカードに書き込みをして登録を抹消する必要はなく、制御装置２１内のみの登録抹消だけでよい。
（３）収納対象物品は、ノートＰＣに限らず、書類や書籍、デスクトップＰＣ、ハブ、ルータ等を適用可能である。この時、収納空間は、物品の大きさに合わせて寸法形状を適宜変更する。
（４）本キャビネットは、収納空間を、上下一列に限らず、左右に複数列設けて構成しても良い。
（５）本キャビネットは、貸し出し用の収納対象機器の保管場所として用いても良い。
【図面の簡単な説明】
【００２１】
【図１】本発明に係る電子錠式キャビネットの構成図を示す、（ａ）は正面図、（ｂ）はＡ−Ａ断面図、（ｃ）はＢ−Ｂ断面図である。
【図２】カードリーダとテンキーの外観図である。
【図３】カード情報の設定内容を示す一覧表である。
【図４】電気錠施解錠動作のフローチャートである。
【符号の説明】
【００２２】
１・・電子錠式キャビネット、３・・キャビネット本体、５・・ノートＰＣ（収納対象機器）、７・・引き出し（収納空間）、１１・・トレイ、１３・・開閉手段、１５・・電子錠、１６・・ＩＣカード、１７・・カードリーダ、１８・・テンキー、２１・・制御装置（制御手段）。
【図１】
2009133063.tif 000003
【図２】
2009133063.tif 000004
【図３】
2009133063.tif 000005
【図４】
2009133063.tif 000006